(57)【要約】  トイレハウスの積み降ろし効率の向上、緊急設備としての利便性向上を図る。  脱着式トイレハウス１０１は、側部にドア１２０を設けた箱体１３０と、箱体１３０の底板１３１の前部下面に形成される前脚１４１と、箱体１３０の底板１３１の後部下面に形成されるローラ付後脚１４２と、コンテナ脱着装置付車両１１０に搭載する場合に案内するため底板１３１の下面にガイド１５１と、箱体１３０をコンテナ脱着装置付車両１１０に固縛するために底板１３１の下面に設けたピンを備えた固縛装置１５３と、箱体１３０の前板１３２に固定される掛合部材１５０と、箱体１３０の内部に設けた便器１５７ａ〜１５７ｃと、手洗器１５７ｄと、を備える。
2012077352.tif 000002
【特許請求の範囲】
【請求項１】
扉を設けた箱体と、
該箱体の底板に形成された前脚と、
前記箱体の底板に形成されたローラと、
コンテナ脱着装置付き車両に搭載する場合に案内するガイドと、
前記箱体を前記コンテナ脱着装置付き車両に固縛する固縛装置と、
前記箱体の前板に固定される掛合部材と、
前記箱体の内部に設けた便器と、
該便器に水を供給する給水タンクと、
前記便器からの排水を貯留する排水タンクと、
を備え、
コンテナ脱着装置付車両に搭載されるときには、前記コンテナ脱着装置付き車両のフックで前記掛合部材を引っ掛けて前記車両の前方に移動させて搭載し、
コンテナ脱着装置付車両から降ろすときには、前記コンテナ脱着装置付き車両のフックで前記掛合部材を引っ掛けて前記車両の後方に移動させ、積み降ろすことを特徴とする脱着式トイレハウス。
【請求項２】
前記前脚と、ローラ付後脚とが、折畳可能な構造を備えた請求項１の脱着式トイレハウス。
【請求項３】
前記箱体の上部に太陽電池パネルと、該太陽電池パネルにより発電された電力を蓄電する蓄電池と、該蓄電池の電力により点灯される照明装置と、を備える請求項１または２の脱着式トイレハウス。
【請求項４】
前記箱体が段積み用金具を備える請求項１ないし３いずれかの脱着式トイレハウス。
【請求項５】
前記箱体が段積み用架台により段積みされる請求項１ないし４いずれかの脱着式トイレハウス。
【請求項６】
コンテナの箱体に着脱自在に固定される水平部と該水平部から下垂する鉛直部とを有する複数本の縦骨と、複数本の該縦骨のそれぞれの上部と下部において、複数本の該縦骨の間に着脱自在に横架される横骨と、前記縦骨と前記横骨に設置される目隠し部材を有することにより組立解体自在な衝立を備え、
前記目隠し部材に広告を設置することが可能な請求項１の脱着式トイレハウス。
【請求項７】
トイレ個室の出入り口の下部に設けられる収容室と、該収容室の前面において開閉自在に上下を軸支された左右対称の二枚の戸板と、該戸板の裏面に適宜の上下間隔で設けられる受桁と、該受桁に係合する形状を有し前記収容室に収納される踏板と、前記受桁に対応する高さで前記収容室内の両側面に設けられたレールと、を備え、
前記戸板を左右ともに９０度前方に開いて側桁となし、左右の前記受桁を相対させ、前記レールに載置された前記踏板を前方にスライド移動させて左右一対の前記受桁に横架して係合させることにより組立て自在な収納階段を有する請求項１の脱着式トイレハウス。
【請求項８】
前記箱体への出入り口と、該出入り口に連通する洗面室と、該洗面室から引き戸を介して連通するトイレ個室と、前記出入り口に取り外し自在に連結し長手方向において組立て分解自在な１／１２以下の勾配のスロープと、を備える請求項１の脱着式トイレハウス。
【請求項９】
扉を設けた箱体と、
該箱体の底板に形成された前脚と、
前記箱体の底板に形成されたローラと、
コンテナ脱着装置付き車両に搭載する場合に案内するガイドと、
前記箱体を前記コンテナ脱着装置付き車両に固縛する固縛装置と、
前記箱体の前板に固定される掛合部材と、
前記箱体の内部に設けた便器と、
該便器に連通する排水管と、
該排水管および外部に連通する排水口と、
を備え、
コンテナ脱着装置付車両に搭載されるときには、前記コンテナ脱着装置付き車両のフックで前記掛合部材を引っ掛けて前記車両の前方に移動させて搭載し、
コンテナ脱着装置付車両から降ろすときには、前記コンテナ脱着装置付き車両のフックで前記掛合部材を引っ掛けて前記車両の後方に移動させ、積み降ろすことを特徴とする脱着式トイレハウス。
【請求項１０】
前記便器を収容したトイレ個室を設け、前記排水管が排水枝管と排水本管からなり、
前記排水枝管は、各々の前記便器に連通し、
前記排水本管は、各々の前記排水枝管に連通し、前記排水口に連通することを特徴とする請求項９の脱着式トイレハウス。
【請求項１１】
前記箱体の内部に設けたシャワーユニットと、
前記給水タンクおよび前記シャワーユニットに上水を供給する上水供給口と、
前記シャワーユニットからの排水を前記箱体の外部に排出するシャワー水排水口と、を備えたことを特徴とする請求項１の脱着式トイレハウス。
【発明の詳細な説明】
【技術分野】
【０００１】
本発明は、コンテナ脱着装置付車両を利用して移動可能な脱着式トイレハウスに関する。
【背景技術】
【０００２】
特許文献１に記載の発明は、第１に、使用場所が限定されず、容易に屋外で運搬，移動，設置，使用可能であり、第２に、しかもこれが簡単容易に実現される、バス・トイレ用のコンテナを提案する。このコンテナＢは、車載運搬可能であり、目的地の屋外で設置，使用され、内部にシャワー１７付のバスユニット１０とトイレユニット１１が配設されている。そして、天井１上に設けられた給水タンク２４，太陽熱温水器２５，給湯器，太陽電池２９の集光パネル２６等と、給水タンク２４からシャワー１７，バスユニット１０，トイレユニット１１等に至る冷水管Ｃと、太陽熱温水器２５や給湯器からシャワー１７，バスユニット１０に至る温水管Ｄと、バスユニット１０の排水口３０と、トイレユニット１１の汚物処理口３１と、太陽電池２９のバッテリー２８に接続された換気扇３２や室内灯３３と、を有している。
【先行技術文献】
【特許文献】
【０００３】
【特許文献１】特開平１１−３５０７５９号公報
【発明の概要】
【発明が解決しようとする課題】
【０００４】
しかしながら、特許文献１の発明のコンテナは、車両への積み降ろしの利便性の向上が図られておらず、また、下水の処理についての配慮が不十分であるなどの問題がある。【０００５】
そこで本発明は、低コスト、簡素な構造で車両への積み降ろしの利便性の向上を図りつつ、使用性、メンテナンス性を向上させ、バリアフリー化や排水方法などの多様な要求に応える脱着式トイレハウスを提供することを課題とする。
【課題を解決するための手段】
【０００６】
上記課題に鑑み、請求項１の発明は、扉を設けた箱体と、該箱体の底板に形成された前脚と、前記箱体の底板に形成されたローラと、コンテナ脱着装置付き車両に搭載する場合に案内するガイドと、前記箱体を前記コンテナ脱着装置付き車両に固縛する固縛装置と、前記箱体の前板に固定される掛合部材と、前記箱体の内部に設けた便器と、該便器に水を供給する給水タンクと、前記便器からの排水を貯留する排水タンクと、を備え、コンテナ脱着装置付車両に搭載されるときには、前記コンテナ脱着装置付き車両のフックで前記掛合部材を引っ掛けて前記車両の前方に移動させて搭載し、コンテナ脱着装置付車両から降ろすときには、前記コンテナ脱着装置付き車両のフックで前記掛合部材を引っ掛けて前記車両の後方に移動させ、積み降ろすことを特徴とする脱着式トイレハウスである。【０００７】
前記排水タンクは、これを一体化した一体型排水タンクを床下に設け、該一体型排水タンクが便器と配管で接続され、該一体型排水タンクにキャップ付き開口部を設け下水を排出できるものとしてもよい。【０００８】
前記キャップ付き開口部を前記一体型排水タンクの前後方向（長手方向）および中間部に設けることにより、マンホール、下水槽或いは衛生車に下水の排水が可能としてもよい。【０００９】
また、前記一体型排水タンクには下水取り出し口を下向きに設け、この下水取り出し口にゲートバルブやジャバラホース等での配管を接続し、マンホールへ自然落下させることとしてもよい。【００１０】
本発明は、前記便器を収容したトイレ個室を設け、その床下に収納階段を設けた脱着式トイレハウスであることが好ましい。前記箱体に取り外し式階段を取り付け可能なことが好ましい。【００１１】
本発明は、前記箱体に取り外し式階段を取り付け可能とすることが好ましい。【００１２】
本発明は、前記箱体内に発電機を搭載し、前記便器に電気を供給することが好ましい。【００１３】
本発明は、前記前脚と、ローラ付後脚とが、折畳可能な構造を備えたものが好ましい。【００１４】
本発明は、前記箱体の上部に太陽電池パネルと、該太陽電池パネルにより発電された電力を蓄電する蓄電池と、該蓄電池の電力により点灯される照明装置と、を備えるものが好ましい。【００１５】
本発明は、センサを有し、該センサの検知に応じて前記照明装置のスイッチを入れることを特徴とすることが好ましい。【００１６】
ここでいう太陽電池パネルとは、太陽光をエネルギー源として用いる光発電のパネルであるが、光を用いて発電する装置・技術を広く含むものとする。例えば、今後の技術革新によりパネル形状のものではない光発電の装置や、太陽光のみならず、夜間程度の光エネルギーも利用できる発電装置が得られるようになった場合は、それらの装置を含む。【００１７】
ここでいうセンサとは、人体検知センサおよび照度センサを含む。人体検知センサは赤外線量の変化により人体を検知し、照明装置のスイッチを入れるためのセンサである。照度センサは日が落ちて周囲が暗くなったことを検知して照明装置のスイッチを入れるためのセンサである。【００１８】
太陽電池パネル、蓄電池、および照明装置は電気的に接続される。またこれらを用いるときはセンサも照明装置に電気的に接続されることが好ましい。【００１９】
本発明は、前記箱体が段積み用金具を備えることが好ましい。【００２０】
本発明は、前記箱体が段積み用架台により段積みされるものが好ましい。【００２１】
前記段積み用金具および前記段積み用架台はともに複数個の前記箱体を段積みにするためのものであるが、前記段積み用金具とは、下段の前記箱体の上部に取り付けられ、その上に上段の前記箱体を載置するためのものであり、前記段積み用架台とは、下段の前記箱体とは別体にして地面に固設し、その上に上段の前記箱体を載置するためのものである。【００２２】
前記箱体をクレーン等で吊れるように吊金具を設けてもよい。保管場所が狭い場合には、段積みも可能であることが好ましい。さらに段積みの場合でも緊急の場合には、下の脱着式トイレハウスをそのままでも引き出し、搬送できることが好ましい。【００２３】
本発明は、コンテナの箱体に着脱自在に固定される水平部と該水平部から下垂する鉛直部とを有する複数本の縦骨と、複数本の該縦骨のそれぞれの上部と下部において、複数本の該縦骨の間に着脱自在に横架される横骨と、前記縦骨と前記横骨に設置される目隠し部材を有することにより組立解体自在な衝立を備え、前記目隠し部材に広告を設置することが可能なものとしてもよい。【００２４】
本発明は、出入り口の下部に設けられる収容室と、該収容室の前面において開閉自在に上下を軸支された左右対称の二枚の戸板と、該戸板の裏面に適宜の上下間隔で設けられる受桁と、該受桁に係合する形状を有し前記収容室に収納される踏板と、前記受桁に対応する高さで前記収容室内の両側面に設けられたレールと、を備え、前記戸板を左右ともに９０度前方に開いて側桁となし、左右の前記受桁を相対させ、前記レールに載置された前記踏板を前方にスライド移動させて左右一対の前記受桁に横架して係合させることにより組立て自在な収納階段を有することとしてもよい。【００２５】
受桁およびレールの適宜の上下間隔とは、階段の蹴上げ高さに相当するものであり、外部からトイレ個室に向かう全体の高低差を考慮して階段の段数、蹴上げ高さを選定するものとする。受板、レール、および踏板の使用個数は、階段の段数に応じて選択する。【００２６】
また、本発明は、前記箱体への出入り口と、該出入り口に連通する洗面室と、該洗面室から引き戸を介して連通するトイレ個室と、前記出入り口に取り外し自在に連結し長手方向において組立て分解自在な１／１２以下の勾配のスロープと、を備える脱着式トイレハウスとしてもよい。【００２７】
本発明は、前記排水タンクの底面に排出用配管を取付可能な下水排出口を設け、前記底面を前記下水排出口に向かって低くなる傾斜面により構成することとしてもよい。【００２８】
ここでいう排出用配管とは、前記排水タンク内の排水をマンホールや下水槽等に排水するための配管であって下水排出口に着脱自在なものをいう。下水排出口は、着脱の便宜のために、前記排水タンクの底面のうち側縁に設けることが好ましい。【００２９】
また、本発明は、扉を設けた箱体と、該箱体の底板に形成された前脚と、前記箱体の底板に形成されたローラと、コンテナ脱着装置付き車両に搭載する場合に案内するガイドと、前記箱体を前記コンテナ脱着装置付き車両に固縛する固縛装置と、前記箱体の前板に固定される掛合部材と、前記箱体の内部に設けた便器と、該便器に連通する排水管と、該排水管および外部に連通する排水口と、を備え、コンテナ脱着装置付車両に搭載されるときには、前記コンテナ脱着装置付き車両のフックで前記掛合部材を引っ掛けて前記車両の前方に移動させて搭載し、コンテナ脱着装置付車両から降ろすときには、前記コンテナ脱着装置付き車両のフックで前記掛合部材を引っ掛けて前記車両の後方に移動させ、積み降ろすことを特徴とする脱着式トイレハウスである。【００３０】
該本発明において、前記便器を収容したトイレ個室を設け、前記排水管が排水枝管と排水本管からなり、前記排水枝管は、各々の前記便器に連通し、前記排水本管は、各々の前記排水枝管に連通し、前記排水口に連通することが好ましい。【００３１】
該本発明において、前記排水本管の内部にスクリューコンベアを設け、該スクリューコンベアにより下水の排出を促すことも好ましい。【００３２】
ここでいう前記排水管、前記排水枝管および前記排水本管とは、必ずしも管状である必要はなく、排水路としての機能を有すれば足りるものである。また、前記排水枝管は必ずしも前記排水本管と連通する必要はなく、直接に前記排水口と連通してもよい。すなわち、前記排水本管と連通する前記排水枝管と、直接に前記排水口と連通する前記排水枝管とが混在する形態としてもよい。【００３３】
また、本発明は、前記箱体の内部に設けたシャワーユニットと、前記給水タンクおよび前記シャワーユニットに上水を供給する上水供給口と、前記シャワーユニットからの排水を前記箱体の外部に排出するシャワー水排水口と、を備えたことを特徴とすることが好ましい。【００３４】
本発明は、前記便器および前記排水タンクが、前記コンテナ脱着装置付車両への搭載時における前記箱体の後方に配置されることを特徴とすることが好ましい。【００３５】
本発明は、前記排水タンクの後方の上部に下水排出口が設けられることを特徴とすることが好ましい。【００３６】
本発明の脱着式トイレハウスは２ｔ〜１０ｔのアーム車まで全てに対応させることが好ましい。また、前記箱体内部には用途に応じて複数種類のトイレを設置することが好ましい。トイレ数や配置等に応じて排水タンクの大きさを決め、適宜、一槽の一体型排水タンクとすることが好ましい。
【発明の効果】
【００３７】
本発明は以上説明したように構成されているので、本発明の脱着式トイレハウスは、重量軽減、車両への積み降ろし効率の向上、緊急設備としての機動性、利便性向上を図ることができる。【００３８】
排水タンクを設けることにより、排水できない場所に脱着式トイレハウスを設置して使用することができる。【００３９】
一体型排水タンクを設けることにより、個別に排水タンクを設ける必要がなく、また容量を拡大できる。【００４０】
収納階段を設けることにより、各トイレ個室の入り口に組立て式の階段を設置することができ、コンテナ移動時には、コンテナ内に収納することができる。個室の出入りに階段を使用することができるため、個室の床面を高く設定することが可能となり、床下に設ける排水タンクの容量を大きくすることができる。【００４１】
太陽電池パネル、蓄電池、および照明装置を有することにより、屋外に設置する脱着式トイレハウスにおいても電気を使用することができ、夜間の照明装置を確保することができる。また、センサを有することにより、必要なときのみ自動で照明装置の電源を入れ、省エネルギー化を図ることができる。【００４２】
脱着式トイレハウス内部へのアプローチをスロープによるものとすれば、車椅子で出入り可能なバリアフリー化を図ることができる。【００４３】
排水タンクの代わりに排水管を設けることとすれば、箱体の軽量化を図ることができ、使用状況により、適宜排水タンクと排水管のいずれかを選択すれば、より適切な脱着式トイレハウスを得ることできる。【００４４】
シャワーユニットを設けた脱着式トイレハウスによれば、設置場所への移動が容易なトイレ・シャワー設備を備えたコンテナを得ることができ、ここにおいて、そのコンテナの車両への積み降ろしの効率を向上させることができる。また、前記便器および前記排水タンクを後方に配置することにより、前記コンテナ脱着装置付車両への積み降ろし動力の節約を図ることができる。さらに、前記排水タンクの後方に下水排出口を設けることにより、下水の排出が容易となり、前記コンテナ脱着装置付車両に傾斜して接続した状態において前記排水タンクの内容物の排出をより円滑に行うことができる。
【図面の簡単な説明】
【００４５】
【図１】本発明第１実施形態の脱着式トイレハウス１０１の内部を示す平面図である。
【図２】同実施形態の脱着式トイレハウス１０１の左側面図である。
【図３】同実施形態の脱着式トイレハウス１０１の正面図である。
【図４】同実施形態の脱着式トイレハウス１０１の底面図である。
【図５】同実施形態の脱着式トイレハウス１０１がコンテナ脱着装置付車両１１０に脱着される様子を示す説明図である。
【図６】本発明第２実施形態の脱着式トイレハウス２０１の斜視図である。
【図７】本発明第３実施形態の脱着式トイレハウス３０１の分解斜視図である。
【図８】本発明第４実施形態の脱着式トイレハウス４０１の正面模式図である。
【図９】同実施形態の脱着式トイレハウス４０１の斜視図である。
【図１０】本発明第５実施形態の脱着式トイレハウス５０１の内部を示す平面図である。
【図１１】同実施形態の脱着式トイレハウス５０１の斜視図である。
【図１２】本発明第６実施形態の脱着式トイレハウス６０１の正面図である。
【図１３】同実施形態の脱着式トイレハウス６０１の平面図である。箱体６３０の図示は省略している。
【図１４】同実施形態の衝立６７０の側面図である。箱体６３０の図示は省略している。
【図１５】本発明第７実施形態の脱着式トイレハウス７０１の内部を示す左側面図である。
【図１６】本発明第８実施形態の脱着式トイレハウス８０１における排水タンク８６６と収容室８８１の関係を示す平面図である。
【図１７】同実施形態の脱着式トイレハウス８０１における収納階段８８０の位置を示す側面図である。
【図１８】同実施形態の脱着式トイレハウス８０１における収納階段８８０の正面図である。（ａ）は収納時を示し、（ｂ）は組立て時を示す。
【図１９】同実施形態の脱着式トイレハウス８０１における収納階段８８０の平面図である。（ａ）は収納時を示し、（ｂ）は組立て時を示す。
【図２０】本発明第９実施形態の脱着式トイレハウス９０１のスロープ９７３を組立てた状態を示す平面図である。
【図２１】同実施形態の脱着式トイレハウス９０１のスロープ９７３の側面図である。
【図２２】同実施形態の脱着式トイレハウス９０１のスロープ９７３を収納した状態の内部を示す平面図である。
【図２３】本発明第１０実施形態の脱着式トイレハウス１００１の内部を示す平面図である。
【図２４】同実施形態の脱着式トイレハウス１００１の左側面図である。
【図２５】同実施形態の脱着式トイレハウス１００１の正面図である。
【図２６】同実施形態のスロープ１０７０の平面図である。
【図２７】同実施形態のスロープ１０７０の側面図である。
【図２８】同実施形態の脱着式トイレハウス１００１においてスロープ１０７０を収納した状態の内部を示す平面図である。
【図２９】同実施形態の脱着式トイレハウス１００１においてスロープ１０７０を収納した状態の左側面図である。
【図３０】本発明第１１実施形態の脱着式トイレハウス１１０１の一体型排水タンク１１６６を示す斜視図である。（ａ）と（ｂ）は、下水排出口１１６８の取付箇所の別の例をそれぞれ示すものである。
【図３１】本発明第１２実施形態の脱着式トイレハウス１２０１の内部を示す平面図である。仕切り壁１２６２の図示は省略している。
【図３２】同実施形態の脱着式トイレハウス１２０１の左側面図である。
【図３３】同実施形態の脱着式トイレハウス１２０１の正面図である。
【図３４】本発明第１３実施形態の脱着式トイレハウス１３０１の内部を示す平面図である。仕切り壁１３６２の図示は省略している。
【図３５】同実施形態の脱着式トイレハウス１３０１の左側面図である。
【図３６】同実施形態の脱着式トイレハウス１３０１の正面図である。
【図３７】本発明第１４実施形態の脱着式トイレハウス１４０１の内部を示す平面図である。
【図３８】同実施形態の脱着式トイレハウス１４０１の左側面図である。
【図３９】同実施形態の脱着式トイレハウス１４０１の背面図である。
【発明を実施するための形態】
【００４６】
以下に、本発明の好適な一実施形態である脱着式トイレハウス１０１について図面を参照して説明する。
【００４７】
図１〜図５に示す通り、第１実施形態の脱着式トイレハウス１０１は、側部にドア１２０を設けた箱体１３０と、箱体１３０の底板１３１の前部下面に形成される前脚１４１と、底板１３１の後部下面に形成されるローラ付後脚１４２と、コンテナ脱着装置付車両１１０に搭載する場合に案内するため底板１３１の下面に設けられるガイド１５１と、箱体１３０をコンテナ脱着装置付車両１１０に固縛するために底板１３１の下面に設けたピンを備えた固縛装置１５３と、箱体１３０の前板１３２に固定される掛合部材１５０と、箱体１３０の内部に設けた水洗式の便器１５７ａ〜１５７ｃと、手洗器１５７ｄと、を備えている。脱着式トイレハウスは２ｔ〜１０ｔの重量まで、すべてに対応させてある。コンテナ脱着装置付車両１１０に搭載されるときには、コンテナ脱着装置付車両１１０のフック１１１で掛合部材１５０を引っ掛けてコンテナ脱着装置付車両１１０の前方に移動させ、コンテナ脱着装置付車両１１０から降ろすときには、前記コンテナ脱着装置付車両１１０のフック１１１で掛合部材１５０を引っ掛けて車両１００の後方に移動させる。
【００４８】
ドア１２０は片開きでも両開きでもいずれでもよい。箱体１３０は種々の金属板から構成される底板１３１、前板１３２、天板１３３、側板１３４，１３５、後板１３６を備えている。
【００４９】
前脚１４１と、ローラ付後脚１４２とが、折畳構造を備え、フックで箱体１３０に掛け止めすることができる。前脚１４１と、ローラ付後脚１４２とは、折畳構造を備えていなくてもよい。
【００５０】
掛合部材１５０（リフトバー）の両側にはリブ１５６を設けてある。
【００５１】
図１、２に示す通り、便器１５７ａ，１５７ｂは大便器であり、便器１５７ｃは小便器である。後板１３６と仕切り壁１６２の間の空間の上部に給水タンク１６３が配置されている。給水タンク１６３の下部にスペース１６４が形成され、配管スペースとする。必要により、このスペースに発電機１６１を設け、便器１５７ａ〜１５７ｃと配線してもよい。これにより少なくとも便器１５７ａ，１５７ｂへ電気を供給するようにしてもよい。箱体１３０内には便器１５７ａ，１５７ｂを配置する床１６５が形成されている。床１６５と底板１３１の間に排水を貯留する排水タンク１６６が配置されている。便器１５７ａ，１５７ｂの前方にはそれぞれ内扉１６７ａ，１６７ｂが配置されている。便器１５７ｃと手洗器１５７ｄの間に仕切り壁１６８が設けられている。便器１５７ｃの前方に内扉１６７ｃを設けてもよい。箱体１３０に窓１７１a〜１７１ｃが設けられている。さらに箱体１３０に取り外し式階段１７３を取り付けることができる。
【００５２】
発電機１６１はあらかじめガソリンとオイルを供給しておくことで発電を行うエンジン内蔵型のものである。オイル給油口にオイルを供給し、燃料給油キャップを外し、注入口のレベル(給油限界位置)までガソリンを供給し、燃料給油キャップつまみを開の位置に合わせ、エンジンスイッチを運転の位置に合わせ、始動グリップを引く等によってエンジンがかかるようになっている。三相交流電源を採用する。なお、単相交流電源を採用し、２つのインバーターを直列あるいは並列に切り換えてもよい。また、直流電源を使用してもよい。１００Ｖの出力、２００Ｖの出力など各種電圧にも対応する。発電機１６１からの排気ガスは箱体１３０に連通パイプを設けて外部に排気する。
【００５３】
第１実施形態の動作、作用効果を説明する。コンテナ脱着装置付車両１１０に脱着式トイレハウス１０１が積載されて移動するときには、図５に示す通り、前脚１４１が畳まれた状態で、掛合部材１５０にフック１１１が掛けられて、アーム１１２によって、脱着式トイレハウス１０１を長手方向に移動させて装着させる。基本的にはバキュームホース等の吸引装置で糞尿を含む下水を吸引後、脱着式トイレハウス１０１を空にして積み降ろしすることが好ましい。糞尿を空にしない場合は、箱体１３０に給水タンク１６３、排水タンク１６６を装着しているため、箱体１３０の積おろし傾斜角度を緩やかにすることとしてもよい。その場合、ローラ付後脚１４２を長くする必要から、これを折畳み式構造としたことで、積み降ろし作業は円滑に簡単に行うことができる。前脚１４１に加えてローラ付後脚１４２も畳んで運搬してもよい。
【００５４】
一方、コンテナ脱着装置付車両１１０から降ろされて地面に設置されるときには、ローラ付後脚１４２を畳まれた状態から展開させて立設し、アーム１１２によって脱着式トイレハウス１０１を長手方向に移動させて、前脚１４１を展開し、コンテナ脱着装置付車両１１０から離脱させる。離脱作業は円滑に簡単に行うことができる。取り外し式階段１７３を箱体１３０に取り付けることができる。必要に応じて、発電機１６１を箱体１３０に搭載させ、便器１５７ａ〜１５７ｃに発電機１６１から電力供給させてもよいし、発電機１６１に代えてコンセントから便器１５７ａ〜１５７ｃに電源供給してもよい。電源はトイレの温水装置、電気制御装置に用いることが好ましい。また寒冷地では暖房装置、熱帯では冷房装置を設け、電源を供給してもよい。
【００５５】
以上のように、便器専用の脱着式トイレハウス１０１とすることで重量が軽減でき、コンテナ脱着装置付車両１１０を利用することで車両への積み降ろし効率を向上でき、さらに保冷コンテナ、事務所コンテナと組み合わせることで災害発生時などに緊急設備としての利便性の向上を図ることができる。発電機１６１を必要に応じて利用することで利便性を向上させることができる。
【００５６】
第２実施形態について図６を用いて説明する。第２実施形態の脱着式トイレハウス２０１は、各々が電気的に接続された太陽電池パネル２８１、蓄電池２８２、照明装置２８３、人体検知センサ２８４を加えることにより、太陽エネルギーのトイレへの利用、夜間の照明を確保するものである。本実施形態による脱着式トイレハウス２０１は実施形態１の脱着式トイレハウス１０１と共通のものを使用するため、部品番号を２００番台とし、説明はこれを援用する。
【００５７】
太陽電池パネル２８１は、天板２３３に取り付けられ、そこで昼間に発電された電力を蓄電池２８２に蓄え、その電力により、照明装置２８３が夜間に点灯したり、トイレ等の照明をしたりすることとなる。太陽電池パネル２８１は、一般的な使用方法に従う。例えば、発電効率のためには、水平状態から、その地点での緯度と同じ角度だけ南方向に向かって傾けるような傾斜支持装置を設けることが好ましい。脱着式トイレハウス２０１の移動性に鑑み、傾斜角度の自動調整装置を備えてもよい。太陽電池パネル２８１により発電した電力は、照明装置２８３の他、換気扇や保温便座、その他の電気設備に利用することもできる。また、太陽電池パネル２８１は、実施形態１の脱着式トイレハウス１０１における発電機１６１の代わりに使用されることとなるが、これと併用してもよい。脱着式トイレハウス２０１の上部に吊具２１５ａを設けてある。吊具２１５ａをクレーン車両等の吊上げ装置（図示略）で吊り上げて車両に積み降ろし可能である。
【００５８】
蓄電池２８２としては、例えば、自動車用バッテリーのような一般的な鉛蓄電池でよいが、太陽電池パネル２８１の発電能力や脱着式トイレハウス２０１の規模、使用する設備の電力消費量等を考慮して適宜、選択するものとする。
【００５９】
照明装置２８３としてＬＥＤを用いると、消費電力量、耐久性に優れ、好適である。
【００６０】
人体検知センサ２８４は、人の存在を感知し、必要な時のみ照明装置２８３を点灯するようにするものである。点灯後所定時間経過により照明装置２８３が自動的に消灯する構成が好ましい。人体検知センサ２８４は焦電型赤外線センサが適するが、圧力センサにより人体の体重を感知するものとしてもよい。その他、センサとしてはこれらに限らず、例えば、照度センサを用いることもできる。この場合は、人を感知して照明装置２８３を点灯させるのではなく、日没を感知して夜間に照らすこととなる。
【００６１】
第２実施形態の脱着式トイレハウス２０１により、屋外においても電気を使用することができ、移動可能な形態をとる脱着式トイレハウス２０１の利便性をさらに高めることができる。電源として太陽電池パネル２８１を用いることにより、発電機のように、特別な燃料不要かつ軽量な装置で、電力を用いることができ、本発明の脱着式トイレハウス２０１の目的に適合させることができる。また、照明装置２８３としてＬＥＤを用いることにより、限られた電力を効率的に利用することができる。
【００６２】
第３実施形態の脱着式トイレハウス３０１は図７に示す通り、保管場所が狭い場合などに、段積み可能としたものである。箱体３３０に吊具３１５ａを備え、クレーン車両等の吊上げ装置（図示略）で吊り上げるように構成され、下部の脱着式トイレハウス３０１が上部の脱着式トイレハウス３０１の荷重を受け止めるものである。ここでは、脱着式トイレハウス３０１は段積み用金具３１７で段積みできるようになっている。この段積み用金具３１７は、箱体３３０の上部に横架される上部受金具３１８と、上部受金具３１８に脱着自在に嵌合する下部受金具３１９で構成される。ここでは、段積み用金具３１７は、前板３３２と後板３３６の上部にそれぞれ設けられる。上部受金具３１８は、横支持部３１８ａと、横支持部３１８ａに直交して接続される複数（ここでは２本あり、直角の曲がりを備える）の曲がり部３１８ｂと、高さを規制する止め部３１８ｃと、補強具３１８ｄと、を備えている。上部受金具３１８の横支持部３１８ａに段積みする箱体３３０のガイド３５１が載置される。下部受金具３１９は、曲がり部３１８ｂの縦部が挿入され、止め部３１８ｃを受け止めるものであり、前板３３２の上部に複数個（ここでは２個）、前板３３２に溶接され、所定間隔又は任意間隔で並設されている。なお、吊具３１５ａに代えてフォークリフトのフォークを箱体３３０に設けた差込管（図示略）に差し込んで段積みしてもよい。曲がり部３１８ｂは直部等の他の形状でもよい。なお、その他の構成は第１実施形態の説明を援用し、３００番台の部品番号として図示した。
【００６３】
第４実施形態の脱着式トイレハウス４０１は、図８、図９に示す通り、第３実施形態とは異なり、下部の脱着式トイレハウス４０１が上部の脱着式トイレハウス４０１の荷重を受け止めるものではなく、段積み架台４１７により上部の脱着式トイレハウス４０１の荷重を受け止めるものである。箱体４３０に吊具４１５ａを備え、クレーン車両等の吊上げ装置（図示略）で吊り上げられるように構成されている。図８に示す脱着式トイレハウス４０１の段積み状態、および図９に示す段積み架台４１７の設置状態に示す通り、段積み架台４１７により段積みできるようになっている。段積みにするときは、上部の脱着式トイレハウス４０１の前脚４４１およびローラ付後脚４４２は折りたたんだ状態にしている。段積み架台４１７は、箱体４３０の上部に横架される横部材４１８と、横部材４１８に接続され立設される縦部材４１９と、縦部材４１９同士を連結する連結具４２０と、縦部材２１８の下端に固定される接地具４２１とから構成されている。横部材４１８、縦部材４１９はＩ型鋼材または管が好ましい。超緊急を要する場合に、上の脱着式トイレハウス４０１をそのままにして、下の脱着式トイレハウス４０１を引き出し運搬することが出来る。なお、吊具４１５ａに代えてフォークリストのフォークを差し込んで段積みしてもよい。図では段積み架台４１７は単数の箱体４３０を段積み収容するものであるが、複数収容できるように連設構成してもよい。なお、その他の構成は第１実施形態の説明を援用し、４００番台の部品番号として図示した。
【００６４】
第５実施形態の脱着式トイレハウス５０１は、図１０、図１１に示す通り、大便器５５７ａ、小便器５５７ｃ、手洗い器５５７ｄの収容される室の間が仕切り部材５１８で仕切られている。また、大便器５５７ａには給水タンク、手洗い器を付設することが好ましい。水を流すためのペダル又はレバーが脱着式トイレハウス５０１に設けてあることが好ましい。小便器５５７ｃ、手洗い器５５７ｄの間にはそれぞれ仕切り部材５１７ａ，５１７ｂを設けている。この仕切り部材５１７ａ，５１７ｂは開閉可能であり、アコーディオンカーテン等の柔軟性素材で構成され、それぞれの室に自在に移動もできることが好ましい。大便器５５７ａの設置された室を囲む側板５３４，５３５には外部へ開閉する扉を設け、外部から利用できるようになっていることが好ましい。底板５３１の上面で便器より下部に一体型排水タンク５６６を設置してある（図１１参照）。用途に応じて複数種類の便器を設置できる。便器数に応じて、一体型排水タンク５６６の大きさを決め、多槽型、または槽一槽型でも対応可能である。なお、前板５３２の中央部に凹み部を設けることで、掛合部材５５０（リフトバー）が前板５３２よりも引っ込んで設置されているので、安全性が高くなっている。なお、図１０と図１１では左右のトイレの位置が入れ替わっている。その他の構成は第１実施形態の説明を援用し、５００番台の部品番号として図示した。
【００６５】
大便器５５７ａ、小便器５５７ｃおよび手洗い器５５７ｄに配管を介して排水タンクを個別に設ける代わりに、ここでは、個別の排水タンクを統合した一体型排水タンク５６６を床下に固定し、大便器５５７ａ、小便器５５７ｃ、手洗い器５５７ｄと配管で接続したものであり、形状は略直方体形状が好ましく、脱着式トイレハウス５０１の床下部に固定されている。一体型排水タンク５６６は複数個のキャップ付き開口部５６９を備え、キャップを取り、開口部５６９にバキュームホース等の吸引装置を接続するか、または、バキュームホース等を内部に挿入して、貯留された下水を吸い出して、マンホール、下水槽或いは衛生車に排出させることができる。前板５３２、後板５３６には、開口５３２ａと、開口５３２ａに脱着可能で被覆する蓋（図示略）とを備えている。ここでは、中央端部のキャップ付き開口部５６９は一体型排水タンク５６６の内部清掃用およびバキュームホース挿入口予備であり、このキャップ付き開口部５６９に対応させて、床にヒンジ付きの開閉蓋が設けてある。両端部の複数個（ここでは２個）のキャップ付き開口部５６９は下水の吸引用のものであり、開口５３２ａを利用して下水をマンホール、下水槽又は衛生車に下水を排出するようになっている。開口５３２ａは前板５３２、後板５３６のいずれか一方だけに設けてもよいし、脱着式トイレハウス５０１の側板５３４，５３５、又は底板５３１に同様な開口を設け、側面又は底面から下水を排水できるようにしてもよい。一体型排水タンク５６６は脱着式トイレハウス５０１の床下で固定されているが、床下に対して脱着構造とし、脱着式トイレハウス５０１の開口５３２ａからスライド式に引き出せるように構成して、一体型排水タンク５６６を交換できるようにしてもよい。一体型排水タンク５６６と開口５３２ａは他の実施形態にも適用可能である。
【００６６】
第６実施形態の脱着式トイレハウス６０１は、図１２〜図１４に示す通り、第５実施形態の脱着式トイレハウス５０１に目隠し部材であるシート６９１を備える衝立６７０を着脱自在に設け、脱着式トイレハウス５０１の出入り口の目隠しを形成するとともに、任意の広告を設置することができるようにしたものである。本実施形態による脱着式トイレハウス６０１は実施形態５の脱着式トイレハウス５０１と共通のものを使用するため、部品番号を６００番台とし、説明はこれを援用する。
【００６７】
衝立６７０は、縦部材である縦骨６７１と、横部材である横骨６８１と、を主要部材として組み立てることにより設けられる。縦骨６７１は、図１２に示すように、一端が箱体６３０の側部に着脱自在に固定され水平方向に伸び出す水平部６７２と、水平部６７２の他端から下垂する鉛直部６７３とを有する。横骨６８１は、図１３、図１４に示すように、複数本の縦骨６７１の間に横架される管材である。水平部６７２には箱体６３０に取り付けるための取付けプレート６７５が設けられ、鉛直部６７３には横骨６８１を取り付けるための取付けプレート６７６が上下２個所に設けられる。箱体６３０には任意の個所に取付けプレート６９３を設けておく。
【００６８】
縦骨６７１の鉛直部６７３は、図１２に示すように、その途中において上下に分割され、連結筒６７７を介して連結される。上下に分割された鉛直部６７３は連結筒６７７に挿通され、任意の高さで固定することができる。このような高さ調節手段の他に鉛直部６７３の下端においてアジャストボルトを備えるなどの手段をとってもよい。
【００６９】
衝立６７０にはシート６９１が着脱自在に張設される。この張設はシート６９１の端部に穴を設け、これに紐を通して縦骨６７１および横骨６８１に巻きつけて行うが（図１４参照）、その他の方法によりシート６９１を衝立６７０に設置してもよい。シート６９１には任意の広告（図示略）を貼設することができ、または、シート６９１そのものに広告表示をしてもよい。目隠し部材として、シート６９１の代わりに板材を用いてもよい。
【００７０】
衝立６７０の組立てについて説明する。本実施例では縦骨６７１を縦骨６７１ａ，６７１ｂ，６７１ｃの３本と横骨６８１を４本使用して組み立てる。まず、縦骨６７１ａ，６７１ｂ，６７１ｃを、水平部６７２の取付けプレート６７５と箱体６３０の取付けプレート６９３とをボルトで締結することにより箱体６３０に固定する。つぎに、横骨６８１を、その両端を鉛直部６７３の取付けプレート６７６にＵ字ボルト６９５で締結することにより、縦骨６７１ａおよび縦骨６７１ｂの間と縦骨６７１ｂおよび縦骨６７１ｃの間において上下２カ所ずつ固定する。そして、縦骨６７１ａ，６７１ｃおよび４本の横骨６８１を利用してシート６９１を張設する（図１４参照）。組立てにおいては、鉛直部６７３における連結筒６７７により高さを調節して箱体６３０とともに安定して衝立６７０を接地させるとよい。これにより、シート６９１には任意の広告を設置することができ、また、衝立６７０を脱着式トイレハウス６０１への出入りの目隠しとすることができる。
【００７１】
第７実施形態の脱着式トイレハウス７０１は、図１５に示す通り、箱体７３０の底板７３１の上に床７３１ａを設け、床下に一体型排水タンク７６６を設置したものである。これにより、一体型排水タンク７６６の容量を拡大でき、利便性が向上する。その他の構成は第１実施形態の説明を援用し、７００番台の部品番号として図示した。
【００７２】
第８実施形態について図１６ないし図１９を用いて説明する。第８実施形態の脱着式トイレハウス８０１は折り畳み式の床下収納階段８８０を備え、ドア８２０の下部に設けられる収容室８８１と、収容室８８１の開放面を開閉自在にする二枚の戸板８８２ａ，８８２ｂと、戸板８８２ａ，８８２ｂの裏面に適宜の上下間隔で水平方向に設けられる受桁８８３ａ〜８８３ｄと、受桁８８３ａ〜８８３ｄに係合する形状を有し収容室８８１に収納される踏板８８４ａ，８８４ｂと、受桁８８３ａ〜８８３ｄに対応する高さで収容室８８１内の両側面に設けられたレール８８５ａ〜８８５ｄとを備える。これにより戸板８８２ａ，８８２ｂの内側に踏板８８４ａ，８８４ｂを収容したり、外部に引き出したりすることができる。本実施形態による脱着式トイレハウス８０１は実施形態１の脱着式トイレハウス１０１と共通のものを使用することもあるため、部品番号を８００番台とし、説明はこれを援用する。
【００７３】
収容室８８１は、図１７に示す通り、ドア８２０の下部に設けられ、ドア８２０と同一側の側面が開放された略直方体の収納部である。収容室８８１は、ここでは、箱体８３０において一体型排水タンク８６６と同一高さに設けられる。一例として、車両方向からみた左右の側板８３４，８３５ともにドア８２０および収容室８８１を設け、箱体８３０のコンテナ幅が２２００ｍｍであるとして、一体型排水タンク８６６の幅を１４００ｍｍ、左右の収容室８８１の奥行きはそれぞれ４００ｍｍほどのものが挙げられる（図１６参照）。
【００７４】
戸板８８２ａ，８８２ｂは、図１８および図１９に示す通り、収容室８８１の前方の開放面を開閉自在にする二枚の戸板である。戸板８８２ａ，８８２ｂは、それぞれが上下を軸支されることにより、観音開きのようにして開閉され、また、ドア８２０と面一に設けられている。
【００７５】
受桁８８３ａ〜８８３ｄは、図１９に示す通り、戸板８８２ａおよび戸板８８２ｂの裏面において、それぞれ対応する高さに設けられる突出片である。本実施形態では、戸板８８２ａの上方に受桁８８３ａ、下方に受桁８８３ｂが設けられ、戸板８８２ｂの上方に受桁８８３ｃ、下方に受桁８８３ｄが設けられる。戸板８８２ａ，８８２ｂを観音開きのように９０度開放した状態においては（図１８（ｂ）、図１９（ｂ）参照）、受桁８８３ａと受桁８８３ｃとが同一高さで相対し、受桁８８３ｂと受桁８８３ｄとが同一高さで相対することとなる。これら、受桁８８３ａ，８８３ｃと受桁８８３ｂ，８８３ｄとの高低差が収納階段８８０の蹴上げ高さに相当することとなる。受桁８８３ａ〜８８３ｄは、戸板８８２ａ，８８２ｂを開放した状態で、踏板８８４ａ，８８４ｂを載置し固定するための溝状の係合部（図示略）を有する。
【００７６】
踏板８８４ａ，８８４ｂは、図１８および図１９に示す通り、戸板８８２ａ，８８２ｂを開放した状態において受桁８８３に載置、固定されることにより使用される収納階段８８０のステップである。踏板８８４ａは受桁８８３ａ，８８３ｃにその両端が載置され、踏板８８４ｂは受桁８８３ｂ，８８３ｄにその両端が載置される（図１８（ｂ）および図１９（ｂ）参照）。踏板８８４ａ，８８４ｂは、長手方向にある一側辺が９０度折り曲げられた形状の係合片８８７（図１８（ｂ）、図１９（ｂ）参照）を有し、これを受桁８８３ａ〜８８３ｄの溝状の係合部（図示略）に差し込むことにより、階段方向の前後の位置決めがなされる。
【００７７】
レール８８５は、図１８および図１９に示す通り、収容室８８１の内部の左右側壁に設けられ、収納時の踏板８８４ａ，８８４ｂを載置するためのものである。収納時、踏板８８４ａ，８８４ｂは受桁８８３ａ〜８８３ｄにも載置できることが好ましい。レール８８５はレール８８５ａ〜８８５ｄからなり、戸板８８２ａの後方において受桁８８３ａ，８８３ｂに対応した高さにレール８８５ａ，８８５ｂが設けられ、戸板８８２ｂの後方における受桁８８３ｃ，８８３ｄに対応した高さにレール８８５ｃ，８８５ｄが設けられる。レール８８５ａ，８８５ｃおよびレール８８５ｂ，８８５ｄはそれぞれ一体化した一枚の棚板状に設けてもよい。
【００７８】
収納階段８８０を組み立てるには、まず戸板８８２ａ，８８２ｂをともに９０度前方に開いて側桁となし、受桁８８３ａ，８８３ｃおよび受桁８８３ｂ，８８３ｄをそれぞれ相対させる。つぎに、レール８８５ａ，８８５ｃに載置された踏板８８４ａを前方にスライド移動させて、受桁８８３ａ，８８３ｃに横架して載置し、係合片（図示略）および係合部（図示略）により踏板８８４ａを固定する。レール８８５ｂ，８８５ｄに載置された踏板８８４ｂについても同様にして受桁８８３ｂ，８８３ｄに載置、固定し、収納階段８８０となす（図１８（ｂ）および図１９（ｂ）参照）。収納階段８８０を分解するには組立てと逆の手順を踏めばよい（図１８（ａ）および図１９（ａ）参照）。なお、収納階段８８０は組立式であるが、これに代えて、非組立式とし、踏板８８４ａ，８８４ｂの両端部を立板（図示略）で結合させた一体構造の枠型踏板ユニットとし、これを単にレール８８５ａ〜８８５ｄ、受桁８８３ａ〜８８３ｄに沿って引き出すことで、階段を設置するようにしてもよい。これにより組立分解の作業を省略できる。
【００７９】
第８実施形態の脱着式トイレハウス８０１により、ドア８２０を設けたトイレ個室の下側に組立式の収納階段８８０を設置することができ、収容室８８１に収納階段８８０を収納すればコンテナ移動時に支障とならず、これと一体にして運ぶことができる。個室８２１の出入りに階段を使用することができるため、個室８２１の床面を高く設定することが可能となり、床下に設ける一体型排水タンク８６６の容量を大きくすることができる。
【００８０】
第９実施形態について図２０ないし図２２を用いて説明する。第９実施形態の脱着式トイレハウス９０１は、外部からの出入り口９２０と、出入り口９２０に連通する洗面室９２２と、洗面室９２２から引き戸９２３を介して連通する個室９２１と、洗面室９２２から連通するスロープ収納室９２４と、出入り口９２０に連結するスロープ９７３と、を備え、車椅子使用者に配慮してバリアフリー化されたものである。本実施形態による脱着式トイレハウス９０１のうち、第１実施形態の脱着式トイレハウス１０１と共通するところは、部品番号を９００番台とし、説明はこれを援用する。
【００８１】
出入り口９２０は、図２０に示す通り、脱着式トイレハウス９０１の設置使用時において、開放された出入り口となる。出入り口９２０は、脱着式トイレハウス９０１をコンテナとして移動する際には、扉（図示略）により閉鎖される。
【００８２】
スロープ９７３は、図２０に示す通り、出入り口９２０に取り外し自在に連結するものであり、設置位置の高い方からスロープパーツ９７３ａ，９７３ｂ，９７３ｃ，９７３ｄ，９７３ｅの五つに分割可能である。スロープ９７３は、傾斜面の有効幅９５０ｍｍを持ち、傾斜面から７００ｍｍの高さに手摺９７４が設けられる。手摺９７４はスロープパーツと同様に分割可能である。出入り口９２０に連結されるスロープパーツ９７３ａは、連結面において手摺９７４が切欠いてある。スロープ９７３の勾配は、図２１に示す通り、１／１２以下を確保するものとし、１／１５以下とすることがより望ましい。スロープ９７３は、連結時には箱体９３０の長手方向と平行に配置され、脱着式トイレハウス９０１の移動時には、スロープパーツ９７３ａ，９７３ｂ，９７３ｃ，９７３ｄ，９７３ｅに分解し、洗面室９２２あるいは別途設けたスロープ収納室９２４に固定して収納されることが好ましい。手摺９７４についても同様に分解して収納する。スロープ９７３は箱体９３０の長手方向に沿って設置されることが好適であるが、これに限らず、短手方向に設置してもよい。また、スロープ９７３の分割数は本実施例のように５個に限られず、適宜数を選択することができる。
【００８３】
洗面室９２２は、図２０および図２２に示す通り、内部において車椅子で方向転換するに十分な空間を確保するものとし、カテーテル等の各器具の洗浄にも十分な大きさの手洗器９５７ｄを設けることが好ましい。
【００８４】
個室９２１は、図２０および図２２に示す通り、洋式の便器９５７ａと、その便器９５７ａの横に設けられる介護者用スペース９８１と、便器９５７ａと介護者用スペース９８１の間に設けられる可動式手摺９８２と、便器９５７ａの反対側に設けられる固定式手摺９８３と、を備える。あるいは、便器９５７ａの左右いずれにも介護者用スペース９８１と可動式手摺９８２とを設けることとしてより好ましい。また、壁際には適宜、固定式手摺９８４を設けることが好ましい。
【００８５】
スロープ収納室９２４は、スロープパーツ９７３ａ，９７３ｂ，９７３ｃ，９７３ｄ，９７３ｅを収納する便宜を図るためのものであるが、これを設けなくともよい。スロープ収容室９２４は清掃器具収納室と兼用することができる。本実施例では、脱着式トイレハウス９０１の運搬時には、スロープパーツ９７３ａ，９７３ｂ，９７３ｃを洗面室９２２に、スロープパーツ９７３ｄ，９７３ｅをスロープ収納室９２４にそれぞれ横置きにして収納する例を示している（図２２の二点鎖線参照）。手摺９７４も同様に分解して収納するが図２２においては図示を省略する。収納時には固定具（図示略）をもって、位置固定するものとする。なお、図２２に示すものは収納の一例であり、その方法はこれに限られない。
【００８６】
これらの構成により、脱着式トイレハウス９０１を身体障害者用のバリアフリートイレとすることができる。内部で医療器具の着脱があることに鑑み、消毒剤の設置や清掃のし易さ等の衛生面に特に配慮するものとする。脱着式トイレハウス１０１ないし１２０１の設置数の規模によっては、バリアフリートイレの構造を左右対称にしたものを複数設け、右半身に障害のある者、左半身に障害のある者のいずれもが使いやすいように配慮することが好ましい。また、荷物置きの棚やベビーシートを備え、さらに広範な用途に使用できる多目的トイレとすることも好ましい。
【００８７】
第１０実施形態について図２３ないし図２９を用いて説明する。第１０実施形態の脱着式トイレハウス１００１は、第９実施形態の脱着式トイレハウス９０１の変更形態であり、スロープをより細かく組立分解可能とし、収納の便宜を図ったものである。本実施形態による脱着式トイレハウス１００１のうち、第９実施形態の脱着式トイレハウス９０１と共通するところは、部品番号を１０００番台とし、説明はこれを援用する。第１０実施形態の脱着式トイレハウス１００１は、第９実施形態の脱着式トイレハウス９０１と異なり、箱体１０３０の内部において、洗面室が別途には設けられず、トイレの個室１０２１と一体的に設けられ、その他、便器１０５７ａ、手洗器１０５７ｄ、給水タンク１０６３、スロープ収納室１０２４等の配置が変更されているが用途は同様のものである。
【００８８】
スロープ１０７０は、図２６、図２７に示す通り、側部枠体１０７１〜１０７８と土台１０７９〜１０８１と踏板１０８４〜１０８７とからなり、組立分解が容易なものである。側部枠体１０７１および側部枠体１０７２は、それぞれ土台１０７９および土台１０８０の上に嵌合して設けられ、それぞれの上部がスロープ１０７０の左右側部の手すりとなる枠体である。土台１０７９および土台１０８０は、側部枠体１０７１および側部枠体１０７２と嵌合する形状を有する他、踏板１０８４および踏板１０８５の載置のために嵌合する形状を有する。
【００８９】
側部枠体１０７３〜１０７８は、上部の手すり部分と、踏板１０８４〜１０８６の載置のための土台部分を一体的に形成したものである。側部枠体１０７１および側部枠体１０７２、側部枠体１０７３および側部枠体１０７４は、それぞれ対称的な形状であり、スロープ１０７０の左右側辺においてそれぞれ対応して配置される。側部枠体１０７５および側部枠体１０７６は、その大部分が対称的な形状であるが、側部枠体１０７５の手すり部分は、スロープ１０７０の上端側が外側に垂直に曲がって延設され、箱体１０３０内部への出入り部分にも手すりが形成されるようになっている。
【００９０】
側部枠体１０７８はスロープ１０７０の上端において転落防止のために配置される。土台１０８１はスロープ１０７０の左右側辺において側部枠体１０７７と対称の位置に設けられるが、箱体１０３０内部への出入りのために、土台部分のみの形状となっている。側部枠体１０７１〜１０７８、土台１０７９〜１０８１は、それぞれの連結部において嵌合し、ボルト締結により組立分解される。
【００９１】
踏板１０８４〜１０８７は底面にフランジを有し、これにより強度補強されるとともに側部枠体１０７１〜１０７８および土台１０７９〜１０８１に嵌合して載置されることとなる。踏板１０８４はスロープ１０７０の最下部に配置され、踏板１０８５は、同様のものが９枚、左右に横架して配置されてスロープ１０７０の傾斜面を形成し、踏板１０８６は同様のものが４枚、左右に横架して配置されてスロープ１０７０の上部において踊り場を形成する。踏板１０８７は、スロープ１０７０と箱体１０３０の出入り口１０２０との接続のために配置される。
【００９２】
スロープ１０７０は、図２８、図２９に示す通り、各部材を分解し、スロープ収納室１０２４にコンパクトに収納することができる。側部枠体１０７３〜１０７８および踏板１０８５〜１０８７は床面に立てて収納し、土台１０８１は平置きし、土台１０７９，１０８０はその上に立てて収納し、側部枠体１０７１および１０７２は、それぞれスロープ収納室１０２４の左右側面に引っ掛けて収納し、空間の有効利用が図られている。スロープ収納室１０２４は箱体１０３０の後方に配置され、箱体１０３０の後部からスロープ収納室１０２４を開閉自在にする収納扉１０２５が設けられており、個室１０２１を介さずに収納可能なため、個室１０２１を清潔に保つことができる。
【００９３】
第１１実施形態について図３０を用いて説明する。第１１実施形態の脱着式トイレハウス１１０１は、一体型排水タンク１１６６の底面１１６７に排出用配管１１８１を取付可能な下水排出口１１６８を設け、底面１１６７を下水排出口１１６８に向かって低くなる傾斜面により構成するものである。本実施形態による脱着式トイレハウス１１０１のうち、第１実施形態の脱着式トイレハウス１０１と共通するところは、部品番号を１１００番台とし、説明はこれを援用する。以下、各部について説明する。
【００９４】
一体型排水タンク１１６６は、図３０（ａ）に示す通り、脱着式トイレハウス１１０１内の排水を集約して貯留する一体型のものである。一体型排水タンク１１６６の上方にはキャップ付き開口部１１６９が前後２カ所および側部の１カ所に設けられている。一体型排水タンク１１６６の底面１１６７には下水排出口１１６８が設けられる。下水排出口１１６８は排出用配管１１８１を着脱自在な形状に設けられるものとし、排出用配管１１８１の着脱を容易にする。底面１１６７は、その全面が下水排出口１１６８に向かって低くなる傾斜面として構成される。下水排出口１１６８は、底面１１６７において、前後左右いずれかの側縁に設けることが好ましいが、これに限らず、一体型排水タンク１１６６の配置や底面１１６７の勾配を考慮して適宜の位置をとり得る。図３０（ｂ）は下水排出口１１６８の取付箇所を別の位置にした例を示すものである。
【００９５】
排出用配管１１８１は下水排出口１１６８に着脱自在に設けられる。排出用配管１１８１は、排出切替のためのゲートバルブ１１８２と、排水を導くための蛇腹ホース１１８３とを備える。ゲートバルブ１１８２は、これに限られず、グローブバルブ、チャッキバルブ、ボールバルブ、バタフライバルブ等、その他のバルブを用いてもよい。蛇腹ホース１１８３は、これに限られず、その他の可撓性のあるホースや、塩化ビニル管等の管材を用いることができる。
【００９６】
第１１実施形態の脱着式トイレハウス１１０１の使用について説明する。脱着式トイレハウス１１０１の設置使用状態においては、下水排出口１１６８に排出用配管１１８１を接続し、ゲートバルブ１１８２でもって適宜一体型排水タンク１１６６内の排水を行う。脱着式トイレハウス１１０１をコンテナ移動する際には、あらかじめ排出用配管１１８１を下水排出口１１６８から取り外しておき、下水排出口１１６８には排水栓（図示略）をしておくことが好ましい。
【００９７】
第１２実施形態について図３１〜図３３を用いて説明する。第１２実施形態の脱着式トイレハウス１２０１は、第１実施形態と同様の箱体１２３０や掛合部材１２５０等の他、便器１２５７と、便器１２５７に連通する排水管１２９０と、排水管１２９０および外部に連通する排水口１２９５と、を備える。本実施形態による脱着式トイレハウス１２０１のうち、第１実施形態の脱着式トイレハウス１０１ないし第１１実施形態の脱着式トイレハウス１１０１と共通するところは、部品番号を１２００番台と改め、説明はこれを援用する。図３１においては仕切り壁１２６２の図示を省略している。
【００９８】
便器１２５７は、図３１および図３２に示す通り、大便器である便器１２５７ａ〜１２５７ｅと、小便器である便器１２５７ｆとからなる。また、箱体１２３０は手洗器１２５７ｇ，１２５７ｈを備える。便器１２５７ａ〜１２５７ｆおよび手洗器１２５７ｇ，１２５７ｈは、箱体１２３０の内部で格子状に設けられた仕切り壁１２６２により各々が別個に区切られた個室１２２１ａ〜１２２１ｈにそれぞれ設けられる。個室１２２１ａ〜１２２１ｈはドア１２２０ａ〜１２２０ｈにより個別に外部と出入り自由とされている。なお、ドア１２２０ａ〜１２２０ｈの下部には、第８実施形態に示した収納階段８８０と同様な収納階段が設けられている。
【００９９】
排水管１２９０は、図３１〜図３３に示す通り、箱体１２３０において床１２６５ａと床１２６５ｂの間に設けられ、排水枝管１２９１ａ〜１２９１ｄ，１２９１ｅ，１２９１ｇと、排水本管１２９２からなる下水の排水路である。排水枝管１２９１ａ〜１２９１ｄはそれぞれ、便器１２５７ａ〜１２５７ｄと連通し、排水枝管１２９１ｅは便器１２５７ｅおよび便器１２５７ｆと連通し、排水枝管１２９１ｇは手洗器１２５７ｇ，１２５７ｈと連通する。また、排水本管１２９２は、排水枝管１２９１ｇ，１２９１ｈと連通する。排水本管１２９２は箱体１２３０の下部の左右中央において後部から前部に向かって傾斜して設けられ、前部において底板１２３１に設けられた排水口１２９５ｅにより外部と連通する。一方、排水枝管１２９１ａ〜１２９１ｄは、排水口１２９５ｅの付近に設けられた排水口１２９５ａ〜１２９５ｄにより、それぞれ直接に外部と連通する。排水本管１２９２は傾斜を保つために、床１２６５ｂ上に設けられたスペーサー１２９６ａ，１２９６ｂを介して設置される。排水口１２９５ａ〜１２９５ｄ，１２９５ｅには開閉自在な蓋を設けてもよい。
【０１００】
本実施形態の脱着式トイレハウス１２０１によれば、マンホールに直接に下水を排出できる場所に設置する場合には、排水タンクの容量に制限されることなく排出を行うことが可能となる。
【０１０１】
第１３実施形態について図３４〜図３６を用いて説明する。第１３実施形態の脱着式トイレハウス１３０１は、便器１３５７と、便器１３５７に連通する排水管１３９０と、排水管１３９０および外部に連通する排水口１３９５と、スクリューコンベア１３９３を備える。本実施形態による脱着式トイレハウス１３０１のうち、第１実施形態の脱着式トイレハウス１０１ないし第１２実施形態の脱着式トイレハウス１２０１と共通するところは、部品番号を１３００番台とし、説明はこれを援用する。図３４においては仕切り壁１３６２の図示を省略している。
【０１０２】
便器１３５７は、図３４および図３５に示す通り、大便器である便器１３５７ａ〜１３５７ｃ，１３５７ｅと、小便器である便器１３５７ｄ，１３５７ｆとからなる。また、箱体１３３０はその他、手洗器１３５７ｇ，１３５７ｈを備える。便器１３５７ａ〜１３５７ｆおよび手洗器１３５７ｇ，１３５７ｈは、箱体１３３０の内部で格子状に設けられた仕切り壁１３６２により、各々が別個に区切られた個室１２２１ａ〜１２２１ｈにそれぞれ設けられる。その他、ドア１３２０ａ〜１３２０ｈの構成は第１２実施形態と同様である。
【０１０３】
排水管１３９０は、図３４〜図３６に示す通り、箱体１３３０において床１３６５ａと床１３６５ｂの間に設けられ、排水枝管１３９１ａ〜１３９１ｈと、排水本管１３９２とからなる下水の排水路である。排水枝管１３９１ａ〜１３９１ｈはそれぞれ、便器１３５７ａ〜１３５７ｆおよび手洗器１３５７ｇ，１３５７ｈと連通する。排水本管１２９２は、排水枝管１３９１ａ〜１３９１ｈと連通する。排水本管１３９２は、箱体１３３０の下部の左右中央に設けられ、前部において底板１３３１に設けられた排水口１３９５により外部と連通する。排水口１３９５には開閉自在な蓋を設けてもよい。なお、本発明における排水枝管は必ずしも管状であることを要せず、本実施形態における排水枝管１３９１ａ〜１３９１ｈは傾斜底面と側壁により排水本管１２９２に連通する排出路としている。
【０１０４】
スクリューコンベア１３９３は、図３４および図３５に示す通り、排水本管１３９２の内部において、その前後に亘って設けられる排出を促すための連続螺旋状スクリュー部材である。排水管１３９０と同じく、床１３６５ａと床１３６５ｂの間の空間における箱体１３３０の後方にはモーター１３９７と伝達ギア等が収められた駆動機構１３９８が設けられ、排水本管１３９２の前方と後方には軸受け１３９９ａ，１３９９ｂが設けられ、スクリューコンベア１３９３を駆動する。
【０１０５】
本実施形態の脱着式トイレハウス１３０１によれば、第１２実施形態の脱着式トイレハウス１２０１の効果に加え、スクリューコンベア１３９３により、排出詰まりを起こすことなく、確実に下水の排出を促すことができる。また、排水本管１３９２を傾斜させる必要がないため、床１３６５ａと床１３６５ｂの間の空間を小さく設定することが可能となる。
【０１０６】
第１４実施形態について図３７〜図３９を用いて説明する。第１４実施形態の脱着式トイレハウス１４０１は、箱体１４３０にトイレ個室１４２１ａ，１４２１ｂと、シャワー個室１４２２ａ，１４２２ｂと、洗面室１４８０と、上水供給口１４６０と、シャワー水排水口１４７３と、を備える。本実施形態による脱着式トイレハウス１４０１のうち、第１実施形態の脱着式トイレハウス１０１ないし第１３実施形態の脱着式トイレハウス１３０１と共通するところは、部品番号を１４００番台とし、説明はこれを援用する。
【０１０７】
図３７および図３８に示す通り、箱体１４３０の側板１４３４，１４３５にはそれぞれ、出入り口１４２３ａ，１４２３ｂとドア１４２４ａ，１４２４ｂとが設けられる。箱体１４３０の内部は、仕切り壁１４６２ａ，１４６２ｂにより、前方からシャワー個室１４２２ａ，１４２２ｂ、洗面室１４８０、およびトイレ個室１４２１ａ，１４２１ｂの順に大きく区切られる。洗面室１４８０は出入り口１４２３ａ，１４２３ｂにより常に外部と連通した状態であるが、ドアを設けることとしてもよい。
【０１０８】
トイレ個室１４２１ａ，１４２１ｂは、図３７および図３８に示す通り、便器１４５７ａ，１４５７ｂをそれぞれ有する個室である。トイレ個室１４２１ａ，１４２１ｂは、箱体１４３０の側板１４３４，１４３５および後板１４３６と仕切り壁１４６２ａ，１４６２ｃにより形成される空間である。トイレ個室１４２１ａ，１４２１ｂは、ドア１４６１ａ，１４６１ｂをそれぞれ有することにより出入りおよび内部からの施錠が自在である。トイレ個室１４２１ａ，１４２１ｂの内部には、それぞれ便器１４５７ａ，便器１４５７ｂ設けられる。便器１４５７ａは大便器、便器１４５７ｂは小便器であり、それぞれ、洗浄水を供給する給水タンクである洗浄水タンク１４６３ａ，１４６３ｂを有し、足踏みにより便器の洗浄が可能となっている。トイレ個室１４２１ａおよびトイレ個室１４２１ｂの間の仕切り壁１４６２ｃの上部は一定範囲が切り欠かれ、トイレ個室１４２１ａおよびトイレ個室１４２１ｂに跨って給水タンク１４６３ｃが設けられる。給水タンク１４６３ｃは、洗浄水タンク１４６３ａ，１４６３ｂに上水を供給する。洗浄水タンク１４６３ｂは水位窓１４６４により水位の確認が容易となっている（図３８参照）。図示は省略するが洗浄水タンク１４６３ａも同様である。
【０１０９】
シャワー個室１４２２ａ，１４２２ｂは、図３７および図３８に示す通り、内部にシャワーユニット１４７１ａ，１４７１ｂをそれぞれ設けた個室である。シャワー個室１４２２ａ，１４２２ｂは、箱体１４３０の側板１４３４，１４３５および前板１４３２と仕切り壁１４６２ｂ，１４６２ｄにより形成される空間である。シャワー個室１４２２ａ，１４２２ｂはドア１４２４ａ，１４２４ｂをそれぞれ有することにより出入りおよび内部からの施錠が自在である。シャワーユニット１４７１ａ，１４７１ｂは、内部の図示は省略するが、出入り自在かつ水漏れ防止構造を備えたブース体の内部にシャワーヘッド、水栓を設けたユニット体である。内部に照明や換気扇を設けることが好ましい。また、通常のシャワーヘッドの他、ボディシャワー、ハンドシャワー、フットマッサージを設けてもよい。シャワー個室１４２２ａ，１４２２ｂはそれぞれ、シャワーユニット１４７１ａ，１４７１ｂの他、照明と窓（図示略）が設けられている。シャワーユニット１４７１ａ，１４７１ｂのそれぞれの下部には、可撓性の排水ホース１４７２を介してシャワー水排水口１４７３が設けられる。
【０１１０】
洗面室１４８０は、図３７および図３８に示す通り、手洗器１４８１および給湯器１４８２を設けた空間である。洗面室１４８０は、仕切り壁１４６２ａ，１４６２ｂにより、それぞれトイレ個室１４２１ａ，１４２１ｂとシャワー個室１４２２ａ，１４２２ｂとからは仕切られるが、箱体１４３０の側板１４３４，１４３５においては出入り口１４２３ａ，１４２３ｂにより外部に開放された空間である。洗面室１４８０は、仕切り壁１４６２ａにドア１４６１ａ，１４６１ｂが設けられることによりトイレ個室１４２１ａ，１４２１ｂと連通している。ドア１４６１ａ，１４６１ｂはトイレ個室１４２１ａ，１４２１ｂに向かって外開きに構成され、ドア１４６１ａ，１４６１ｂの下部にはそれぞれステップ１４８３ａ，１４８３ｂが設けられている。手洗器１４８１は、洗面室１４８０における仕切り壁１４６２ａに沿って、ドア１４６１ａ，１４６１ｂの間に設けられる。ドア１４６１ａ，１４６１ｂは手洗器１４８１との干渉を避けるためにそれぞれ側板１４３４，１４３５の側に回動軸が設けられている。一方、洗面室１４８０におけるシャワー個室１４２２ａ，１４２２ｂとの仕切りである仕切り壁１４６２ｂには、給湯器１４８２が設けられる。給湯器１４８２はシャワーユニット１４７１ａ，１４７１ｂに温水を供給するためのものである。給湯器１４８２は、外部からの上水を供給する上水供給口１４６０に接続される。上水供給口１４６０から供給される上水は、給湯器１４８２の他、トイレ個室１４２１ａ，１４２１ｂの給水タンク１４６３ｃ、手洗器１４８１、およびシャワーユニット１４７１ａ，１４７１ｂに分配される。
【０１１１】
トイレ個室１４２１ａ，１４２１ｂの下部には、図３８に示す通り、トイレ個室１４２１ａ，１４２１ｂに共通の排水タンク１４６６が設けられる。そのため、トイレ個室１４２１ａ，１４２１ｂの床１４６５の高さは、シャワー個室１４２２ａ，１４２２ｂおよび洗面室１４８０におけるものよりも高く設定されることとなり、洗面室１４８０におけるドア１４６１ａ，１４６１ｂの下方にステップ１４８３ａ，１４８３ｂが設けられるのはそのためである。排水タンク１４６６は、トイレ個室１４２１ａ，１４２１ｂの床１４６５のほぼ全面に亘り設けられる一体型のタンクであり、排水タンク１４６６の上面に設けられた下水排出口である汲取り口１４６７により下水の排出を行うことができる。汲み取り作業は、箱体１４３０の後板１４３６において対応する位置に設けられた汲み取り口用小窓１４３７を開くことにより（図３９参照）、排水タンク１４６６を取り出さずとも行うことができる。また、後板１４３６において対応する位置に設けられた排水タンク取出し口１４３８を開放することにより、箱体１４３０から取り出すことができ、排水タンク１４６６全体の洗浄・メンテナンスが可能である。なお、排水タンク１４６６の下面に下水排出口としての下面排出口を設け、この下面排出口にゲートバルブやジャバラホース等での配管を接続し、直接マンホールへ自然落下させることとしてもよい。
【０１１２】
脱着式トイレハウス１４０１は、設置の際には、上水供給口１４６０に上水を外部から供給し、給湯器１４８２にプロパンガスを外部から供給する。また、シャワー水排水口１４７３からの排水の排出先を確保することが望ましい。その他、必要な場合は外部から電源を供給する。脱着式トイレハウス１４０１の設置場所はできるだけ平坦な場所を選定するものとし、出入り口１４２３ａ，１４２３ｂおよびドア１４２４ａ，１４２４ｂの付近には相当程度の空間を確保するものとする。
【０１１３】
脱着式トイレハウス１４０１の排水タンク１４６６内の下水は、汲取り口１４６７からバキュームホース等の吸引装置により汲み取る。この際、脱着式トイレハウス１４０１の前方をコンテナ脱着装置付車両１４１０のアーム１１２により吊り上げた状態にすると（図５参考）、汲み取り作業を迅速かつ確実に行うことができる。
【０１１４】
脱着式トイレハウス１４０１は２ｔ〜１０ｔの車両に対応できる。脱着式トイレハウス１４０１は、電源を外部から供給することとしているが、これに限られず、発電機や太陽光発電パネルにより、自家発電してもよい。また、給湯器１４８２にプロパンガス以外の熱源を利用し、あるいは、給湯器の代わりに別途温水を外部から直接供給するものとしてもよい。
【０１１５】
本発明の実施例による脱着式トイレハウス１４０１の効果を説明する。脱着式トイレハウス１４０１は、以上のような構成によりコンテナ脱着装置付車両１４１０への積み下ろしが容易であることから、簡便かつ迅速に所望の設置場所に移動し、使用することができる。この積み下ろし作業には、他のクレーン車を別途用意する必要もなく簡便かつ迅速に行うことができる。また、トイレ個室１４２１ａ，１４２１ｂを脱着式トイレハウス１４０１の後方に配置したことにより、洗浄水タンク１４６３ａ，１４６３ｂ、給水タンク１４６３ｃを満水にし、あるいは排水タンク１４６６内を空にしなかった状態においても、脱着式トイレハウス１４０１の前方の荷重は大きくなることがなく、積み降ろし作業において、コンテナ脱着装置付車両１４１０のアーム１４１２に過度の負担をかけることなく、積み降ろし動力の節約を図ることができる。さらに、トイレ個室１４２１ａ，１４２１ｂを脱着式トイレハウス１４０１の後方に配置したことにより、後板１４３６に設けられた汲み取り口用小窓１４３７を利用して排水タンク１４６６の汲み取りを行うことができ、あるいは後板１４３６に設けられた排水タンク取出し口１４３８を利用して排水タンク１４６６を取り出し、清掃・メンテナンスを容易に行うことができる。また、脱着式トイレハウス１４０１をコンテナ脱着装置付車両１４１０に傾斜して接続した状態において排水タンク１４６６の内容物の排出をより円滑に行うこともできる。
【０１１６】
なお、本発明の実施の形態は、上記実施形態に何ら限定されるものではなく、本発明の技術的思想を逸脱しない範囲において、当該技術的範囲に属する限り種々の改変等の形態を採り得る。
【符号の説明】
【０１１７】
１０１・・・脱着式トイレハウス
１１０・・・コンテナ脱着装置付車両
１１１・・・フック
１１２・・・アーム
１２０・・・ドア
１３０・・・箱体
１３１・・・底板
１３２・・・前板
１３３・・・天板
１３４，１３５・・・側板
１３６・・・後板
１４１・・・前脚
１４２・・・ローラ付後脚
１５０・・・掛合部材
１５１・・・ガイド
１５３・・・固縛装置
１５７ａ〜１５７ｃ・・・便器
１５７ｄ・・・手洗器
１６１・・・発電機
１６２・・・仕切り壁
１６３・・・給水タンク
１６６・・・排水タンク
１７３・・・取り外し式階段
２０１・・・脱着式トイレハウス
２８１・・・太陽電池
２８２・・・蓄電池
２８３・・・照明装置
２８４・・・人体検知センサ
３０１・・・脱着式トイレハウス
３１７・・・段積み用金具
３１８・・・上部受金具
３１８ａ・・・横支持部
３１８ｂ・・・曲がり部
３１８ｃ・・・止め部
３１８ｄ・・・補強具
３１９・・・下部受金具
３５１・・・ガイド
４０１・・・脱着式トイレハウス
４１７・・・段積み架台
４１８・・・横部材
４１９・・・縦部材
４２０・・・連結具
４２１・・・接地具
５０１・・・脱着式トイレハウス
５５７ａ・・・大便器
５５７ｃ・・・小便器
５５７ｄ・・・手洗い器
５１８・・・仕切り部材
５１７ａ，５１７ｂ・・・仕切り部材
５６６・・・排水タンク
６０１・・・脱着式トイレハウス
６３０・・・箱体
６７０・・・衝立
６７１・・・縦骨
６７２・・・水平部
６７３・・・鉛直部
６７５・・・取付けプレート
６７６・・・取付けプレート
６７７・・・連結筒
６８１・・・横骨
６９１・・・シート
６９３・・・取付けプレート
７０１・・・脱着式トイレハウス
７３１・・・底板
７３１ａ・・・床
７６６・・・排水タンク
８０１・・・脱着式トイレハウス
８３０・・・箱体
８３４，８３５・・・側板
８２０・・・ドア
８８０・・・収納階段
８８１・・・収容室
８８２ａ，８８２ｂ・・・戸板
８８３ａ〜８８３ｄ・・・受桁
８８４ａ，８８４ｂ・・・踏板
８８５ａ〜８８５ｄ・・・レール
８６６・・・排水タンク
９０１・・・脱着式トイレハウス
９３０・・・箱体
９２０・・・出入り口
９２１・・・個室
９２２・・・洗面室
９２４・・・スロープ収納室
９７３・・・スロープ
９７３ａ〜９７３ｅ・・・スロープパーツ
９７４・・・手すり
１００１・・・脱着式トイレハウス
１０３０・・・箱体
１０７０・・・スロープ
１０７１〜１０７８・・・側部枠体
１０７９〜１０８１・・・土台
１０８４〜１０８７・・・踏板
１１０１・・・脱着式トイレハウス
１１６６・・・排水タンク
１１６７・・・底面
１１６９・・・キャップ付き開口部
１１６８・・・下水排出口
１１８１・・・排出用配管
１１８２・・・ゲートバルブ
１１８３・・・蛇腹ホース
１２０１・・・脱着式トイレハウス
１２２０・・・ドア
１２３０・・・箱体
１２５０・・・掛合部材
１２２１ａ〜１２２１ｈ・・・  個室
１２６２・・・  仕切り壁
１２５７ａ〜１２５７ｆ・・・便器
１２５７ｇ，１２５７ｈ・・・手洗器
１２６５ａ，１２６５ｂ・・・床
１２９０・・・排水管
１２９１ａ〜１２９１ｄ，１２９１ｅ，１２９１ｇ・・・排水枝管
１２９２・・・排水本管
１２９５ａ〜１２９５ｄ，１２９５ｅ・・・排水口
１２９６ａ，１２９６ｂ・・・スペーサー
１３０１・・・脱着式トイレハウス
１３２０ａ〜１３２０ｈ・・・ドア
１３２１ａ〜１３２１ｈ・・・個室
１３６２・・・仕切り壁
１３５７ａ〜１３５７ｃ・・・便器
１３５７ｇ，１３５７ｈ・・・手洗器
１３６５ａ，１３６５ｂ・・・床
１３９０・・・排水管
１３９１ａ〜１３９１ｈ・・・排水枝管
１３９２・・・排水本管
１３９３・・・スクリューコンベア
１３９５・・・排水口
１３９７・・・モーター
１３９８・・・駆動機構
１３９９ａ，１３９９ｂ・・・軸受け
１４０１・・・脱着式トイレハウス
１４３０・・・箱体
１４２１ａ，１４２１ｂ・・・トイレ個室
１４２２ａ，１４２２ｂ・・・シャワー個室
１４６０・・・上水供給口
１４６６・・・排水タンク
１４６８・・・下水排出口
１４７１ａ，１４７１ｂ・・・シャワーユニット
１４７３・・・シャワー水排水口
１４８０・・・洗面室
【図１】
2012077352.tif 000003
【図２】
2012077352.tif 000004
【図３】
2012077352.tif 000005
【図４】
2012077352.tif 000006
【図５】
2012077352.tif 000007
【図６】
2012077352.tif 000008
【図７】
2012077352.tif 000009
【図８】
2012077352.tif 000010
【図９】
2012077352.tif 000011
【図１０】
2012077352.tif 000012
【図１１】
2012077352.tif 000013
【図１２】
2012077352.tif 000014
【図１３】
2012077352.tif 000015
【図１４】
2012077352.tif 000016
【図１５】
2012077352.tif 000017
【図１６】
2012077352.tif 000018
【図１７】
2012077352.tif 000019
【図１８】
2012077352.tif 000020
【図１９】
2012077352.tif 000021
【図２０】
2012077352.tif 000022
【図２１】
2012077352.tif 000023
【図２２】
2012077352.tif 000024
【図２３】
2012077352.tif 000025
【図２４】
2012077352.tif 000026
【図２５】
2012077352.tif 000027
【図２６】
2012077352.tif 000028
【図２７】
2012077352.tif 000029
【図２８】
2012077352.tif 000030
【図２９】
2012077352.tif 000031
【図３０】
2012077352.tif 000032
【図３１】
2012077352.tif 000033
【図３２】
2012077352.tif 000034
【図３３】
2012077352.tif 000035
【図３４】
2012077352.tif 000036
【図３５】
2012077352.tif 000037
【図３６】
2012077352.tif 000038
【図３７】
2012077352.tif 000039
【図３８】
2012077352.tif 000040
【図３９】
2012077352.tif 000041
【国際調査報告】
2012077352.tif 000042
2012077352.tif 000043
2012077352.tif 000044
2012077352.tif 000045